(57)【要約】      （修正有）【課題】外部物体に係留しやすいペット用リードを提供すること。【解決手段】ペットに使用されるペット用リード１であって、ペット用リード１は、フロントリード１０とリアリード２０とカラビナ３０と持ち手部８０とを含む。フロントリード１０は、フロントリードの第１端１１とフロントリードの第２端１２とを含み、フロントリードの第２端１２が該フロントリードの第１端１１の対向端に位置する。リアリード２０は、リアリードの第１端２１とリアリードの第２端２２とを含み、リアリードの第２端２２が該リアリードの第１端１１の対向端に位置する。カラビナ３０がフロントリードの第２端１２とリアリードの第１端２１に連接する。持ち手部８０がリアリードの第２端２２に連接し、該カラビナ３０を掛止するために用いる。持ち手部８０は、利用者に握らせ、或いは該カラビナ３０で掛止することで係留環を形成できる。【選択図】図１
2018023319.tif 000002
【特許請求の範囲】
【請求項１】
ペットに使用されるペット用リードであって、前記ペット用リードは、
フロントリードの第１端とフロントリードの第２端とを含み、前記フロントリードの第２端が前記フロントリードの第１端の対向端に位置するフロントリードと、
リアリードの第１端とリアリードの第２端とを含み、前記リアリードの第２端が前記リアリード第１端の対向端に位置するリアリードと、
前記フロントリードの第２端と前記リアリードの第１端に連接するカラビナと、
前記リアリードの第２端に連接する持ち手部と、を含み、
前記持ち手部は利用者に握らせ、或いは前記カラビナで掛止することで係留環を形成できることを特徴とするペット用リード。
【請求項２】
前記持ち手部が前記カラビナで掛止された時、前記持ち手部と前記カラビナは係留環を形成することを特徴とする請求項１に記載のペット用リード。
【請求項３】
前記係留環は、係留物に係留するために用いられることを特徴とする請求項２に記載のペット用リード。
【請求項４】
前記フロントリードの第１端に連接する連結具を更に含み、前記連結具は前記ペットを縛り付けるために用いられることを特徴とする請求項３に記載のペット用リード。
【請求項５】
調整コキを更に含み、前記調整コキが前記フロントリードに可動連接されることを特徴とする請求項４に記載のペット用リード。
【請求項６】
前記調整コキは、掛止部を更に含み、且つ前記連結具が前記調整コキの前記掛止部に掛止するために用いられることを特徴とする請求項５に記載のペット用リード。
【請求項７】
前記連結具は、ナスカンを更に含み、且つ前記ナスカンが前記調整コキの前記掛止部に掛止するために用いられることを特徴とする請求項６に記載のペット用リード。
【請求項８】
前記連結具を前記調整コキの前記掛止部に掛止した時、前記連結具と前記調整コキがペット首輪を形成することを特徴とする請求項７に記載のペット用リード。
【請求項９】
前記ペット首輪は、前記ペットを縛り付けるために用いられることを特徴とする請求項８に記載のペット用リード。
【請求項１０】
前記調整コキは、前記ペット首輪のサイズを調整するために用いられることを特徴とする請求項９に記載のペット用リード。
【請求項１１】
前記カラビナと前記調整コキの間に設けるストッパーを更に含むことを特徴とする請求項１０に記載のペット用リード。
【請求項１２】
前記フロントリード及び前記リアリードは、紐、バンド或いはチェーンとし、且つ前記持ち手部が紐、バンド、ベルト或いはハンドルとすることを特徴とする請求項１１に記載のペット用リード。
【請求項１３】
前記フロントリードの第１端に連接する連結具を更に含み、前記連結具は前記ペットを縛り付けるために用いられることを特徴とする請求項１に記載のペット用リード。
【請求項１４】
調整コキを更に含み、前記調整コキが前記フロントリードに可動連接されることを特徴とする請求項１３に記載のペット用リード。
【請求項１５】
前記調整コキは、掛止部を更に含み、且つ前記連結具が前記調整コキの前記掛止部に掛止するために用いられることを特徴とする請求項１４に記載のペット用リード。
【請求項１６】
前記連結具は、ナスカンを更に含み、且つ前記ナスカンが前記調整コキの前記掛止部に掛止するために用いられることを特徴とする請求項１５に記載のペット用リード。
【請求項１７】
前記連結具を前記調整コキの前記掛止部に掛止した時、前記連結具と前記調整コキがペット首輪を形成することを特徴とする請求項１６に記載のペット用リード。
【請求項１８】
前記ペット首輪は、前記ペットを縛り付けるために用いられることを特徴とする請求項１７に記載のペット用リード。
【請求項１９】
前記調整コキは、前記ペット首輪のサイズを調整するために用いられることを特徴とする請求項１８に記載のペット用リード。
【請求項２０】
前記フロントリード及び前記リアリードは、紐、バンド或いはチェーンとし、且つ前記持ち手部が紐、バンド、ベルト或いはハンドルとすることを特徴とする請求項１９に記載のペット用リード。
【発明の詳細な説明】
【技術分野】
【０００１】
本発明は、ペット用リードに関し、特に、外部物体に係留しやすいペット用リードに関する。
【背景技術】
【０００２】
現代の社会において、多くの人々がペットを飼い、犬は、人気のあるペットの１つである。犬は、健康を保持するために、運動させる必要があるため、飼い主が常に犬と散歩しなければならない。犬の迷子又は危険発生（例えば道路に行って交通事故に遭遇）を避けるため、飼い主は、通常１本のペット用チェーンで犬を扱い、ペット用チェーンの一端を犬首に巻き付ける首輪に掛止し、又は犬の体に取り付けた胴輪に掛止し、他端を飼い主が握る。こうすると、犬を飼い主付近の位置にあるよう保持でき、且つ犬が制御できなくなること或いは迷子になることを避けることができる。
【０００３】
しかしながら、犬の散歩時、飼い主が手からチェーンを放す場合（例えば靴の紐を結び、傘を開く等）があり、又は飼い主がペット立入禁止場所（例えばレストラン、図書館或いはデパード）に立ち入る時、暫く係留物体（例えば柱若しくは街路灯）にペット用チェーンを繋ぎ、該ペットの行動範囲を暫く該係留物体の付近にさせる。該ペット用チェーンを該係留物体に繋ぐ過程において、飼い主は通常該ペット用チェーンを該係留物体に数回り巻き付け、且つ該ペット用チェーンを該係留物体上に結び付けることで、該ペット用チェーンが該係留物体に安定的に係留されることを確保する。しかし、以上に述べる巻き付け及び結び付けの行動には時間かかり、且つ巻き付けと結び付けを解く行動にも時間かかり、飼い主には非常に不便であった。
【０００４】
よって、利用者に簡単で且つ迅速にペット用リードを外部物体に係留させることができる新しいペット用リードを提供する必要があった。
【発明の概要】
【発明が解決しようとする課題】
【０００５】
そこで、本発明は外部物体に係留しやすいペット用リードを提供することを目的とする。
【課題を解決するための手段】
【０００６】
上記目的を達成するため、本発明は、ペットに使用されるペット用リードを提供する。ペット用リードは、フロントリードとリアリードとカラビナと持ち手部とを含む。フロントリードは、フロントリードの第１端とフロントリードの第２端とを含み、フロントリードの第２端が該フロントリードの第１端の対向端に位置する。リアリードは、リアリードの第１端とリアリードの第２端とを含み、リアリードの第２端が該リアリード第１端の対向端に位置する。カラビナがフロントリードの第２端とリアリードの第１端に連接する。持ち手部がリアリードの第２端に連接し、該カラビナを掛止するために用いる。持ち手部は、利用者に握らせ、或いは該カラビナで掛止することで係留環を形成できる。
【０００７】
本発明の実施例１によれば、持ち手部がカラビナで掛止された時、持ち手部とカラビナは係留環を形成する。
【０００８】
本発明の実施例１によれば、係留環は、係留物に係留するために用いられる。
【０００９】
本発明の一実施例によれば、連結具は、該フロントリードの第１端に連接し、該ペットを縛り付けるために用いられる。
【００１０】
本発明の一実施例によれば、ペット用リードは調整コキを更に含み、調整コキがフロントリードに可動連接される。
【００１１】
本発明の一実施例によれば、調整コキは掛止部を更に含み、且つ連結具が調整コキの掛止部に掛止するために用いられる。
【００１２】
本発明の一実施例によれば、連結具はナスカンを更に含み、且つナスカンが調整コキの掛止部に掛止するために用いられる。
【００１３】
本発明の一実施例によれば、連結具を調整コキの掛止部に掛止した時、連結具と調整コキがペット首輪を形成する。
【００１４】
本発明の一実施例によれば、ペット首輪はペットを縛り付けるために用いられる。
【００１５】
本発明の一実施例によれば、調整コキはペット首輪のサイズを調整するために用いられる。
【００１６】
本発明の一実施例によれば、ペット用リードは、カラビナと調整コキの間に設けるストッパーを更に含む。
【００１７】
本発明の一実施例によれば、フロントリード及びリアリードは、紐、バンド或いはチェーンとする。
【００１８】
本発明の一実施例によれば、持ち手部は、紐、バンド、ベルト或いはハンドルとする。
【図面の簡単な説明】
【００１９】
【図１】本発明の一実施例に係るペット用リードを示す模式図である。
【図２】本発明の一実施例に係る連結具でペット首輪を形成した時のペット用リードを示す模式図である。
【図２ａ】本発明の一実施例に係る連結具で別の態様のペット首輪を形成した時のペット用リードを示す模式図である。
【図２ｂ】本発明の一実施例のペット首輪が方向Ａに沿って摺動した時のペット用リードを示す模式図である。
【図３】本発明の一実施例に係るペット用リードとペットを示す模式図である。
【図４】本発明の一実施例に係るペット用リードと係留物を示す模式図である。
【図５】本発明の一実施例に係るペット用リードとペットを示す模式図である。
【発明を実施するための形態】
【００２０】
以下、審査官に本発明の技術内容を理解してもらうため、好ましい具体的実施例を挙げて説明する。
【００２１】
図１乃至図５には、本発明の一実施例に係るペット用リードを示す。図１は、本発明の一実施例に係るペット用リードを示す模式図である。図２は、本発明の一実施例に係る連結具でペット首輪を形成した時のペット用リードを示す模式図である。図２ａは、本発明の一実施例に係る連結具で別の態様のペット首輪を形成した時のペット用リードを示す模式図である。図２ｂは、本発明の一実施例のペット首輪が方向Ａに沿って摺動した時のペット用リードを示す模式図である。図３は、本発明の一実施例に係るペット用リードとペットを示す模式図である。図４は、本発明の一実施例に係るペット用リードと係留物を示す模式図である。図５は、本発明の一実施例に係るペット用リードとペットを示す模式図である。
【００２２】
図１及び図３に示されるように、本発明の一実施例において、ペット用リード１は、ペット３００に使用され、該ペット３００は犬、猫、ウサギ又は他の種類の動物であるものとする。ペット用リード１は、フロントリード１０とリアリード２０と連結具６０とカラビナ３０と持ち手部８０と調整コキ５０とストッパー４０とを含む。
【００２３】
図１乃至図３に示すように、本発明の一実施例において、フロントリード１０及びリアリード２０は、紐、バンド又はチェーン或いは他の種類のものとすることができるが、フロントリード１０及びリアリード２０の種類は、上記設計に限られるものではない。フロントリード１０及びリアリード２０の種類は、犬の散歩或いは訓練のニーズに合わせて変更されることができる。フロントリード１０は、フロントリードの第１端１１とフロントリードの第２端１２とを含み、且つフロントリードの第２端１２がフロントリード第１端１１の対向端に位置する。リアリード２０は、リアリードの第１端２１とリアリードの第２端２２とを含み、且つリアリードの第２端２２がリアリードの第１端２１の対向端に位置する。
【００２４】
連結具６０が、フロントリードの第１端１１に連接され、ペット３００を縛り付けるために用いられる。一実施例において、連結具６０は、外部のペット首輪に繋ぐこともできるが、ペット胴輪にも繋ぐことができる。連結具６０は、ナスカン６１を含み、且つナスカン６１が調整コキ５０に掛止するために用いられる。ナスカン６１は、円環部と開口部とを備える。ナスカン６１を調整コキ５０に掛止する時、利用者は該開口部を開き、調整コキ５０をナスカン６１の円環部内に入れ、且つ該開口部を閉めることで、ナスカン６１の円環部と開口部を閉鎖した環状構造に形成させ、且つ調整コキ５０は該閉鎖した環状構造内に掛止されることができる。ただし、ナスカン６１の構造はすでに従来技術において幅広く使用されるため、本発明内においてその説明を省略する。また、ナスカン６１の構造は、以上に述べたものに限られるものでなく、掛止機能を提供できる他の構造に変更できる。
【００２５】
ストッパー４０は、カラビナ３０と調整コキ５０の間に設けられ、フロントリード１０に沿って移動でき、ナスカン６１の移動を阻止するために用いられる。
【００２６】
調整コキ５０は、フロントリード１０に可動連接されるため、フロントリード１０上で移動させることができる。調整コキ５０は、掛止部５１を含む。掛止部５１は、環状構造で、ナスカン６１を掛止するために用いられる。ナスカン６１を調整コキ５０の掛止部５１の環状構造に掛止した時、ナスカン６１と調整コキ５０がペット首輪７０を形成する。ペット首輪７０は、ペット３００を縛り付けるために用いられる。調整コキ５０をフロントリード１０上で移動させることにより、フロントリード１０が調整コキ５０とナスカン６１の間の長さを変更でき、これを介してペット首輪７０のサイズは、異なるサイズのペット３００に合わせて変更させることができる。ただし、該ペット首輪を形成する方法は、以上に述べたものに限られるものでない。図２ａ及び図２ｂに示すように、ナスカン６１はフロントリード１０を嵌めて別の態様のペット首輪７０ａを形成することができる。ナスカン６１はフロントリード１０に沿って摺動してこの態様のペット首輪７０ａの長さを調整でき、且つ調整コキ５０がナスカン６１の摺動を制限できるため、該ペット首輪７０ａはあまり大きくなりすぎてペット３００をット首輪７０ａ内から離脱させることがない。これ以外に、ナスカン６１も調整コキ５０とストッパー４０の間を嵌めることでペット首輪７０ｂを形成させることができる。ナスカン６１は、フロントリード１０上において方向Ａに沿って摺動でき、且つストッパー４０がナスカン６１の移動を阻止することができることで、ペット首輪７０ｂのサイズが大きくなりすぎることを避ける。
【００２７】
図１、図３及び図４に示すように、本発明の一実施例において、カラビナ３０がフロントリードの第２端１２及びリアリードの第１端２１に連接する。カラビナ３０は円環部と開口部と備え、且つ利用者は、円環部と開口部の操作を通じて、カラビナ３０を物体に掛止できる。持ち手部８０は、リアリードの第２端２２に連接する。持ち手部８０は、紐、バンド、ベルト或いはハンドルとするが、持ち手部８０の種類がこの設計に限られるものではない。持ち手部８０は、利用者に握らせることができ、若しくは該カラビナ３０で掛止して係留環９０を形成することができる。持ち手部８０がカラビナ３０によって掛止された時、持ち手部８０とカラビナ３０が係留環９０を形成する。係留環９０は、係留物２００に係留するために用いられる。本発明の係留物２００は、街路灯、柱、壁掛式フックとすることができる、或いは係留環９０に掛止させることができる他の物体としてもよい。
【００２８】
利用者が本発明のペット用リード１をペット３００に使用してペット３００と一緒に散歩する時、図１乃至図３に示すように、利用者は連結具６０のナスカン６１を調整コキ５０の掛止部５１に掛止して連結具６０のナスカン６１と調整コキ５０でペット首輪７０を形成することができる。次に、利用者はペット首輪７０をペット３００の首又は背中に嵌め、ペット３００の首又は背中のサイズによって調整コキ５０のフロントリード１０における位置を調整することで、該ペット首輪７０を適したサイズでペット３００の首又は背中を縛り付けることができる。これにより、利用者は手４００で持ち手部８０を握ると共にペット用リード１で繋ぐペット３００と一緒に散歩できる。
【００２９】
利用者とペット用リード１で繋ぐペット３００が一緒に散歩し、且つ利用者が自分の両手（例えば靴紐を縛る）を使用する必要があった時、又はペット立入禁止場所（例えばスーパーマーケット、図書館或いはレストラン）に立ち入る時、若しくは犬を引いている時に行うことが困難な行動（傘を開く或いは閉じる）の時、利用者は暫くペット３００を外部物体に係留できる。図１及び図４に示すように、利用者は、持ち手部８０とリアリード２０を係留物２００に巻き付け、持ち手部８０を該カラビナ３０に掛止できる。こうすると、リアリード２０、持ち手部８０及びカラビナ３０で形成される係留環９０は、係留物２００を巻き付けすると共に係留物２００に係留できる。係留環９０を通じて該係留物２００に係留する際、ペット用リード１で繋がれたペット３００は、該係留物２００の付近で拘束され、利用者がペット３００から暫く離れてペット立入禁止場所に立ち入らせることができる。
【００３０】
図５に示すように、犬と散歩する時にリードを短くしようとした場合、利用者は係留環９０をつくってリード全体の長さを短縮させることができる。
【産業上の利用可能性】
【００３１】
本発明のペット用リード１の設計を通じて、利用者は、迅速で且つ楽にペット用リード１を係留物２００に係留でき、且つ楽にリードを短縮できる。
【００３２】
上述になされた実施例は、あくまでも本発明の技術内容を明らかにするものであって、そのような具体例に限定して解釈されるべきものではなく、本発明の基本原理から逸脱することなく上記の実施形態を様々に変更できるのは、本願が主張する権利範囲に属し、特許請求の範囲に準じる。
【符号の説明】
【００３３】
１       ペット用リード
１０    フロントリード
１１    フロントリードの第１端
１２    フロントリードの第２端
２０    リアリード
２１    リアリードの第１端
２２    リアリードの第２端
３０    カラビナ
４０    ストッパー
５０    調整コキ
５１    掛止部
６０    連結具
６１    ナスカン
７０、７０ａ、７０ｂ    ペット首輪
８０    持ち手部
９０    係留環
２００     係留物
３００     ペット
４００     手
Ａ     方向
【図１】
2018023319.tif 000003
【図２】
2018023319.tif 000004
【図２ａ】
2018023319.tif 000005
【図２ｂ】
2018023319.tif 000006
【図３】
2018023319.tif 000007
【図４】
2018023319.tif 000008
【図５】
2018023319.tif 000009
【手続補正書】
【提出日】平成29年11月14日(2017.11.14)
【手続補正１】
【補正対象書類名】特許請求の範囲
【補正対象項目名】全文
【補正方法】変更
【補正の内容】
【特許請求の範囲】
【請求項１】
ペットに使用されるペット用リードであって、前記ペット用リードは、
フロントリードの第１端とフロントリードの第２端とを含み、前記フロントリードの第２端が前記フロントリードの第１端の対向端に位置するフロントリードと、
リアリードの第１端とリアリードの第２端とを含み、前記リアリードの第２端が前記リアリードの第１端の対向端に位置するリアリードと、
前記フロントリードの第２端と前記リアリードの第１端に連接するカラビナと、
前記リアリードの第２端に連接する持ち手部と、
を含み、
前記持ち手部は利用者に握らせ、或いは前記持ち手部の環状部分を前記カラビナに掛止することで係留環を形成でき、
前記カラビナは、第１の留具を介して前記フロントリードの第２端に接続されるとともに、第２の留具を介して前記リアリードの第１端に接続され、
前記第１の留具及び前記第２の留具は、前記カラビナに直接的に接続されていることを特徴とするペット用リード。
【請求項２】
前記持ち手部が前記カラビナで掛止された時、前記持ち手部と前記カラビナは係留環を形成することを特徴とする請求項１に記載のペット用リード。
【請求項３】
前記係留環は、係留物に係留するために用いられることを特徴とする請求項２に記載のペット用リード。
【請求項４】
前記フロントリードの第１端に連接する連結具を更に含み、前記連結具は前記ペットを縛り付けるために用いられることを特徴とする請求項１から３のいずれかに記載のペット用リード。
【請求項５】
調整コキを更に含み、前記調整コキが前記フロントリードに可動連接されることを特徴とする請求項４に記載のペット用リード。
【請求項６】
前記調整コキは、掛止部を更に含み、且つ前記連結具が前記調整コキの前記掛止部に掛止するために用いられることを特徴とする請求項５に記載のペット用リード。
【請求項７】
前記連結具は、ナスカンを更に含み、且つ前記ナスカンが前記調整コキの前記掛止部に掛止するために用いられることを特徴とする請求項６に記載のペット用リード。
【請求項８】
前記連結具を前記調整コキの前記掛止部に掛止した時、前記連結具と前記調整コキがペット首輪を形成することを特徴とする請求項７に記載のペット用リード。
【請求項９】
前記ペット首輪は、前記ペットを縛り付けるために用いられることを特徴とする請求項８に記載のペット用リード。
【請求項１０】
前記調整コキは、前記ペット首輪のサイズを調整するために用いられることを特徴とする請求項９に記載のペット用リード。
【請求項１１】
前記カラビナと前記調整コキの間に設けるストッパーを更に含むことを特徴とする請求項１０に記載のペット用リード。
【請求項１２】
前記フロントリード及び前記リアリードは、紐、バンド或いはチェーンとし、且つ前記持ち手部が紐、バンド、ベルト或いはハンドルとすることを特徴とする請求項１１に記載のペット用リード。
【手続補正２】
【補正対象書類名】明細書
【補正対象項目名】０００６
【補正方法】変更
【補正の内容】
【０００６】
上記目的を達成するため、本発明は、ペットに使用されるペット用リードを提供する。ペット用リードは、フロントリードの第１端とフロントリードの第２端とを含み、フロントリードの第２端が該フロントリードの第１端の対向端に位置する。リアリードは、リアリードの第１端とリアリードの第２端とを含み、リアリードの第２端が該リアリード第１端の対向端に位置する。カラビナがフロントリードの第２端とリアリードの第１端に連接する。持ち手部がリアリードの第２端に連接し、該カラビナを掛止するために用いる。持ち手部は、利用者に握らせ、或いは持ち手部の環状部分を該カラビナに掛止することで係留環を形成できる。カラビナは、第１の留具を介してフロントリードの第２端に接続されるとともに、第２の留具を介してリアリードの第１端に接続され、第１の留具及び第２の留具が、カラビナに直接的に接続されている。